(57)【要約】      （修正有）【課題】電極表面の荒れを防止することは勿論、絶縁性能が高い開閉装置を提供する。【解決手段】固定電極１１Ａ，１１Ｂ、該固定電極に対して閉極又は開極される可動電極１２Ａ，１２Ｂを各々備える複数の開閉部１０Ａ，１０Ｂと、該複数の開閉部のそれぞれの前記固定電極に対して閉極又は開極する可動電極を操作する操作手段とを備え、前記操作手段は、１つの原動部位１と２つの従動部位２Ａ，２Ｂから成ると共に、該原動部位及び従動部位は、互いに間欠動作し、かつ、前記従動部位の一部が前記原動部位と当接することによって前記原動部位から前記従動部位に動力が伝達されない状態においては前記従動部位の状態が固定され、前記原動部位が初期位置から最終位置まで変位する状態においては一方の前記従動部位の状態を遷移させ、それに遅れて他方の前記従動部位の状態を変更することによって、時間差を発生させながら前記複数の開閉部が駆動される。【選択図】図１
2014238950.tif 000002
【特許請求の範囲】
【請求項１】
固定電極、該固定電極と対向して配置されると共に、該固定電極に対して閉極又は開極される可動電極を各々備える複数の開閉部と、該複数の開閉部のそれぞれの前記固定電極に対して閉極又は開極する可動電極を操作する操作手段と、前記複数の開閉部を電気的に接続する通電手段とを備え、
前記操作手段は、１つの原動部位と２つの従動部位から成ると共に、該原動部位及び従動部位は、互いに間欠動作し、かつ、前記従動部位の一部が前記原動部位と当接することによって前記原動部位から前記従動部位に動力が伝達されない状態においては前記従動部位の状態が固定され、前記原動部位が初期位置から最終位置まで変位する状態においては一方の前記従動部位の状態を遷移させ、それに遅れて他方の前記従動部位の状態を変更することによって、時間差を発生させながら前記複数の開閉部が駆動されることを特徴とする開閉装置。
【請求項２】
請求項１に記載の開閉装置において、
前記原動部位は、原動機の動力が動力伝達手段を介して伝達されて駆動され、この原動部位の駆動力が前記従動部位の各々に伝達されると共に、該従動部位の各々に伝達された駆動力で前記可動電極が操作されることを特徴とする開閉装置。
【請求項３】
請求項１に記載の開閉装置において、
前記原動部位は一部に歯部を有する原動歯車から成ると共に、前記従動部位は一部に歯部を有する従動歯車から成り、かつ、前記原動歯車は、原動機の動力が動力伝達手段を介して伝達されて駆動され、この前記原動歯車の駆動力が前記従動歯車の各々に、前記原動歯車の歯部と前記従動歯車の歯部が噛み合うことで伝達されると共に、前記従動歯車の各々に伝達された駆動力が、該従動歯車の各々に接続されている操作ロッドを介して伝達されて前記可動電極が操作されることを特徴とする開閉装置。
【請求項４】
請求項３に記載の開閉装置において、
前記原動歯車の歯部と前記従動歯車の歯部との噛み合いは、一方の前記従動歯車の歯部と前記原動歯車の歯部が噛み合った後に、時間差をもって他方の前記従動歯車の歯部と前記原動歯車の歯部が噛み合うことを特徴とする開閉装置。
【請求項５】
請求項３又は４に記載の開閉装置において、
前記操作ロッドのそれぞれは、一端が前記従動歯車に浮動ピンを介して係合されていると共に、他端が前記可動電極に連結され、かつ、前記従動歯車のそれぞれは固定ピンを中心に回動可能に固定され、前記原動歯車は固定ピンを中心に回動可能に固定されていることを特徴とする開閉装置。
【請求項６】
請求項１乃至５のいずれか１項に記載の開閉装置において、
前記開閉部は、その駆動方向が並行となるように配置されていることを特徴とする開閉装置。
【請求項７】
請求項１乃至５のいずれか１項に記載の開閉装置において、
前記開閉部は、その駆動方向が同一軸上となるように配置されていることを特徴とする開閉装置。
【請求項８】
請求項１に記載の開閉装置において、
前記原動部位は一部に歯部を有する原動歯車から成ると共に、前記従動部位は全周に歯部を有する従動歯車から成り、かつ、前記原動歯車は、原動機の動力が動力伝達手段を介して伝達されて駆動され、この前記原動歯車の駆動力が前記従動歯車の各々に、前記原動歯車の歯部と前記従動歯車の歯部が噛み合うことで伝達されると共に、前記従動歯車の各々に伝達された駆動力が、該従動歯車の各々に接続されている操作ロッドを介して伝達されて前記可動電極が操作されることを特徴とする開閉装置。
【請求項９】
固定電極、該固定電極と対向して配置されると共に、該固定電極に対して閉極又は開極される可動電極を各々備える複数の開閉部と、該複数の開閉部のそれぞれの前記固定電極に対して閉極又は開極する可動電極を操作する操作手段と、前記複数の開閉部を電気的に接続する通電手段とを備え、
前記操作手段は、１つの原動部位と２つの従動部位から成ると共に、前記原動部位は、該原動部位と共に回転する浮動ピンを有し、かつ、前記２つの従動部位の各々には、前記原動部位の浮動ピンが係合する案内溝が形成され、前記原動部位の回転に伴って前記浮動ピンが一方の前記従動部位の案内溝に係合し、この両者の係合が解かれたら前記浮動ピンが他方の前記従動部位の案内溝に係合するゼネバ機構によって、時間差を発生させながら前記複数の開閉部が駆動されることを特徴とする開閉装置。
【請求項１０】
請求項９に記載の開閉装置において、
前記原動部位は、原動機の動力が動力伝達手段を介して伝達されて駆動され、この前記原動部位の駆動力が前記従動部位の各々に伝達されると共に、該従動部位の各々に伝達された駆動力で前記可動電極が操作されることを特徴とする開閉装置。
【請求項１１】
請求項９又は１０に記載の開閉装置において、
前記開閉部は、その駆動方向が直交する方向に配置されていることを特徴とする開閉装置。
【請求項１２】
固定電極、該固定電極と対向して配置されると共に、該固定電極に対して閉極又は開極される可動電極を各々備え、通電手段により電気的に接続されている複数の開閉部のそれぞれの前記固定電極に対して閉極又は開極する可動電極を、１つの原動部位と２つの従動部位から成る操作手段で操作する際に、
前記原動部位及び従動部位は、互いに間欠動作し、かつ、前記従動部位の一部が前記原動部位と当接することによって前記原動部位から前記従動部位に動力が伝達されない状態においては前記従動部位の状態が固定され、前記原動部位が初期位置から最終位置まで変位する状態においては一方の前記従動部位の状態を遷移させ、それに遅れて他方の前記従動部位の状態を変更することによって、時間差を発生させながら前記複数の開閉部が駆動されることを特徴とする開閉装置の開閉方法。
【請求項１３】
請求項１２に記載の開閉装置の開閉方法において、
原動機の動力が動力伝達手段を介して伝達されて前記原動部位が駆動され、この原動部位の駆動力が前記従動部位の各々に伝達されると共に、該従動部位の各々に伝達された駆動力で前記可動電極が操作されることを特徴とする開閉装置の開閉方法。
【請求項１４】
請求項１２に記載の開閉装置の開閉方法において、
原動機の動力が動力伝達手段を介して伝達されて前記原動歯車が駆動され、この原動歯車の駆動力が前記従動歯車の各々に、前記原動歯車の一部に形成されている歯部と前記従動歯車の一部に形成されている歯部が噛み合うことで伝達されると共に、前記従動歯車の各々に伝達された駆動力が、該従動歯車の各々に接続されている操作ロッドを介して伝達されて前記可動電極が操作されることを特徴とする開閉装置の開閉方法。
【請求項１５】
請求項１４に記載の開閉装置の開閉方法において、
前記原動歯車の歯部と前記従動歯車の歯部との噛み合いは、一方の前記従動歯車の歯部と前記原動歯車の歯部が噛み合った後に、時間差をもって他方の前記従動歯車の歯部と前記原動歯車の歯部が噛み合うことを特徴とする開閉装置の開閉方法。
【発明の詳細な説明】
【技術分野】
【０００１】
本発明は開閉装置及びその開閉方法に係り、特に、複数の開閉部が電気的に直列に接続され、機械的に駆動されるものに好適な開閉装置及びその開閉方法に関する。
【背景技術】
【０００２】
一般に、新幹線などの高速鉄道では、大電力を得るために交流電化方式を採用している。この交流電化方式は、各変電所から電力を供給するため、異電源を区分するためのセクションが存在しており、具体的な構成を図９に示す。
【０００３】
図９に示す如く、交流電化方式は、２つの電源Ｇ１及びＧ２を区分するために、中セクション１００が電源Ｇ１及びＧ２間に配置されている。通常、中セクション１００の長さは、約１ｋｍに設定されている。
【０００４】
そして、列車１０１が中セクション１００を紙面左方向から右方向へ通過する場合、先ず、区分開閉器ＶＳ１を投入して中セクション１００を充電しておく。次に、列車１０１が中セクション１００を通過中に、区分開閉器ＶＳ１を遮断し、区分開閉器ＶＳ２を投入して中セクション１００の充電電源をＧ１からＧ２に切り替える。この間の無電時間は、０．０５〜０．３秒程度に抑制され、列車１０１は高速状態を維持したまま中セクション１００を通過できる。なお、列車１０１が中セクション１００を通過した後、区分開閉器ＶＳ２は遮断される。
【０００５】
上記した区分開閉器ＶＳ１及びＶＳ２に適用される開閉装置として、例えば、特許文献１に記載された２点切り開閉装置がある。この特許文献１に記載されている２点切り開閉装置では、２つの直列開閉器が、ほぼ同時に開閉するようになっている。
【先行技術文献】
【特許文献】
【０００６】
【特許文献１】特開２００７−１８８７３４号公報
【発明の概要】
【発明が解決しようとする課題】
【０００７】
一般に、区分開閉器ＶＳ１及びＶＳ２には、真空スイッチが用いられる。真空スイッチを上述した方法で使用する場合は、下記の問題がある。
【０００８】
即ち、区分開閉器ＶＳ２は列車１０１が通過中に負荷電流が投入され、列車１０１が中セクション１００を通過した後で無負荷遮断される。
【０００９】
区分開閉器ＶＳ１及びＶＳ２が真空スイッチの場合、負荷電流を投入すると先行放電やチャタリングによって電極表面が荒れるが、その後、負荷電流を遮断すれば、アークによって電極表面が溶かされて荒れが収まることが知られている。
【００１０】
しかしながら、区分開閉器ＶＳ２の場合には、無負荷で遮断するために電極表面の荒れが蓄積され、絶縁性能が低下する恐れがある。特に、区分開閉器ＶＳ２の極間が閃絡すると、電源Ｇ１と電源Ｇ２が短絡し、重大事故となって列車の運行を妨げる恐れがある。
【００１１】
上述した特許文献１に記載の２点切り開閉装置は、端子間の絶縁性能低下を目的として適用することはできるが、２つの開閉器をほぼ同時に開閉しているため、区分開閉器ＶＳ２に適用した場合には、２つの開閉器の接点が両方とも荒れて絶縁性能が低下する可能性がある。
【００１２】
本発明は上述の点に鑑みなされたもので、その目的とするところは、電極表面の荒れを防止することは勿論、絶縁性能が高い開閉装置及びその開閉方法を提供することにある。
【課題を解決するための手段】
【００１３】
本発明の開閉装置は、上記目的を達成するために、固定電極、該固定電極と対向して配置されると共に、該固定電極に対して閉極又は開極される可動電極を各々備える複数の開閉部と、該複数の開閉部のそれぞれの前記固定電極に対して閉極又は開極する可動電極を操作する操作手段と、前記複数の開閉部を電気的に接続する通電手段とを備え、前記操作手段は、１つの原動部位と２つの従動部位から成ると共に、該原動部位及び従動部位は、互いに間欠動作し、かつ、前記従動部位の一部が前記原動部位と当接することによって前記原動部位から前記従動部位に動力が伝達されない状態においては前記従動部位の状態が固定され、前記原動部位が初期位置から最終位置まで変位する状態においては一方の前記従動部位の状態を遷移させ、それに遅れて他方の前記従動部位の状態を変更することによって、時間差を発生させながら前記複数の開閉部が駆動されることを特徴とする。
【００１４】
また、本発明の開閉装置は、上記目的を達成するために、固定電極、該固定電極と対向して配置されると共に、該固定電極に対して閉極又は開極される可動電極を各々備える複数の開閉部と、該複数の開閉部のそれぞれの前記固定電極に対して閉極又は開極する可動電極を操作する操作手段と、前記複数の開閉部を電気的に接続する通電手段とを備え、前記操作手段は、１つの原動部位と２つの従動部位から成ると共に、前記原動部位は、該原動部位と共に回転する浮動ピンを有し、かつ、前記２つの従動部位の各々には、前記原動部位の浮動ピンが係合する案内溝が形成され、前記原動部位の回転に伴って前記浮動ピンが一方の前記従動部位の案内溝に係合し、この両者の係合が解かれたら前記浮動ピンが他方の前記従動部位の案内溝に係合するゼネバ機構によって、時間差を発生させながら前記複数の開閉部が駆動されることを特徴とする。
【００１５】
更に、本発明の開閉装置の開閉方法は、上記目的を達成するために、固定電極、該固定電極と対向して配置されると共に、該固定電極に対して閉極又は開極される可動電極を各々備え、通電手段により電気的に接続されている複数の開閉部のそれぞれの前記固定電極に対して閉極又は開極する可動電極を、１つの原動部位と２つの従動部位から成る操作手段で操作する際に、前記原動部位及び従動部位は、互いに間欠動作し、かつ、前記従動部位の一部が前記原動部位と当接することによって前記原動部位から前記従動部位に動力が伝達されない状態においては前記従動部位の状態が固定され、前記原動部位が初期位置から最終位置まで変位する状態においては一方の前記従動部位の状態を遷移させ、それに遅れて他方の前記従動部位の状態を変更することによって、時間差を発生させながら前記複数の開閉部が駆動されることを特徴とする。
【発明の効果】
【００１６】
本発明によれば、電極表面の荒れを防止することは勿論、絶縁性能が高い開閉装置を得ることができる。
【図面の簡単な説明】
【００１７】
【図１】本発明の開閉装置の実施例１であり、２つの開閉部が投入状態を示す概略構成図である。
【図２】本発明の開閉装置の実施例１であり、一方の開閉部が遮断状態を示す概略構成図である。
【図３】本発明の開閉装置の実施例１であり、２つの開閉部が遮断状態を示す概略構成図である。
【図４】本発明の開閉装置の実施例１における２つの開閉部の開閉動作タイミングを説明するための図である。
【図５】本発明の開閉装置の実施例２であり、２つの開閉部が遮断状態を示す概略構成図である。
【図６】本発明の開閉装置の実施例３における開閉器の原動歯車及び従動歯車を示す構成図である。
【図７】本発明の開閉装置の実施例４における開閉器の原動歯車及び従動歯車を示す構成図である。
【図８】本発明の開閉装置の実施例５であり、２つの開閉部が遮断状態を示す概略構成図である。
【図９】一般的な交流電化方式における区分開閉器の機能を説明するための図である。
【発明を実施するための形態】
【００１８】
以下、図示した実施例に基づいて本発明の開閉装置及びその方法について説明する。なお、以下に説明する各実施例において、同一構成部品には同符号を使用する。
【実施例１】
【００１９】
図１乃至図３に、本発明の開閉装置の実施例１を示す。該図に示す如く、本実施例の開閉装置は、駆動方向が並行となるように配置され、電流の開閉を行う開閉部１０Ａ、１０Ｂと、開閉部１０Ａ、１０Ｂを電気的に接続する通電手段１５と、開閉部１０Ａ、１０Ｂの電極を操作する操作ロッド１４Ａ、１４Ｂと、操作ロッド１４Ａ、１４Ｂを操作する１つの原動歯車１及び２つの従動歯車２Ａ、２Ｂから成る操作手段と、原動歯車１を駆動する動力源である原動機５と、原動機５の動力を原動歯車１に伝達する動力伝達手段６とから概略構成されている。
【００２０】
更に詳述すると、開閉部１０Ａ、１０Ｂの消弧室１３Ａ、１３Ｂの内部には、固定電極１１Ａ、１１Ｂ及び可動電極１２Ａ、１２Ｂが収納されており、これら固定電極１１Ａ、１１Ｂ及び可動電極１２Ａ、１２Ｂを開極又は閉極することによって、電流が投入又は遮断される。
【００２１】
開閉部１０Ａの固定電極１１Ａは電源２０と、開閉部１０Ｂの固定電極１１Ｂは負荷２１とそれぞれ電気的に接続されている。開閉部１０Ａの可動電極１２Ａと開閉部１０Ｂの可動電極１２Ｂは、フレキシブル導体等の通電手段１５で電気的に接続されており、これにより、開閉部１０Ａ及び１０Ｂが電気的に直列に接続されている。
【００２２】
また、可動電極１２Ａ及び１２Ｂは、それぞれ操作ロッド１４Ａ及び１４Ｂの一端に連結され、この操作ロッド１４Ａ及び１４Ｂの他端は、従動歯車２Ａ及び２Ｂに浮動ピン４Ａ及び４Ｂを介して係合されている。更に、従動歯車２Ａ及び２Ｂは、固定ピン３Ａ及び３Ｂを中心に回動可能に固定され、原動歯車１は、固定ピン３Ｃを中心に回動可能に固定されている。
【００２３】
そして、図１に示すように、原動歯車１の全周の一部に形成されている歯部１Ａが初期位置Ａにある状態では、開閉部１０Ａ及び１０Ｂは投入状態（固定電極１１Ａ、１１Ｂと可動電極１２Ａ、１２Ｂが接触状態）になっている。このとき、従動歯車２Ａ及び２Ｂの歯部２Ａ１及び２Ｂ１側方の凹面部（曲面部）２Ａ２及び２Ｂ２が、円形の原動歯車１の非歯部外周面に当接しているため、従動歯車２Ａ及び２Ｂは、固定ピン３Ａ及び３Ｂを中心として回動せず、その状態を保持している。
【００２４】
この状態から原動歯車１に動力伝達手段６を介して原動機５から反時計方向の駆動力を作用させると、原動歯車１は固定ピン３Ｃを中心として反時計方向に回動する。原動歯車１の歯部１Ａが、従動歯車２Ｂの歯部２Ｂ１に噛み合うと、従動歯車２Ｂは、固定ピン３Ｂを中心として時計回りに回動し、図２に示す状態に遷移する。このとき、開閉部１０Ｂは遮断状態（固定電極１１Ｂと可動電極１２Ｂが開極）となり、従動歯車２Ｂの歯部２Ｂ１側方の凹面部２Ｂ２が原動歯車１の非歯部外周部に当接するため、開閉部１０Ｂの遮断状態が維持される。
【００２５】
なお、電源２０から開閉部１０Ａ、通電手段１５、開閉部１０Ｂを経由して負荷２１に電流が通電されていれば、電流は開閉部１０Ｂで遮断される。
【００２６】
更に、原動歯車１が反時計方向に回動させられ、原動歯車１の歯部１Ａが従動歯車２Ａの歯部２Ａ１に噛み合うと、従動歯車２Ａは固定ピン３Ａを中心として時計回りに回動させられ、図３に示す状態に遷移する。このとき、開閉部１０Ａは無負荷状態で遮断される。図３に示す状態では、従動歯車２Ａの歯部２Ａ１側方の凹面部２Ａ２が原動歯車１の非歯部外周部に当接するため、開閉部１０Ａの遮断状態が維持される。
【００２７】
逆に、図３に示す状態から原動歯車１を時計方向に回動させれば、図２に示す状態を経由して図１に示す状態に復帰することになる。
【００２８】
上述した開閉部１０Ａ及び１０Ｂの動作において、具体的には、図４に示すようなタイミングを設定する。即ち、投入時には開閉部１０Ａを先に投入し、時間ｔ１後に開閉部１０Ｂを投入する。両開閉部１０Ａ及び１０Ｂは直列に配置されているので、実際に電源２０と負荷２１が接続されるのは、後に投入される開閉部１０Ｂの投入時である。一方、遮断時には、開閉部１０Ｂが開極してから時間ｔ３後に開閉部１０Ａを開極させる。
【００２９】
以上説明した本実施例を要約すると、原動歯車１及び従動歯車２Ａ、２Ｂは、互いに間欠動作し、かつ、従動歯車２Ｂの一部（凹面部２Ｂ２）が原動歯車１と当接することによって原動歯車１から従動歯車２Ｂに動力が伝達されない状態においては従動歯車２Ｂの状態が固定され、原動歯車１が初期位置Ａから最終位置Ｃまで変位する状態においては一方の従動歯車２Ｂの状態を遷移させ、それに遅れて他方の従動歯車２Ａの状態を変更することによって、時間差を発生させながら開閉部１０Ａ、１０Ｂを駆動するものである。
【００３０】
次に、上述した本実施例における効果について説明する。図９に示す区分開閉器ＶＳ１及びＶＳ２には、一般に真空スイッチが用いられるが、上述のように使用すると、区分開閉器ＶＳ２については、負荷投入−無負荷遮断を繰り返すため、電極表面の荒れが徐々に進展し耐電圧が低下する恐れがあった。
【００３１】
これに対し、本実施例に示す２点切り開閉装置を区分開閉器に適用すれば、開閉部１０Ｂが開極してから電流が切れた後に開閉部１０Ａを開極することから、アークによって電極表面が溶かされて荒れが収まり電極表面の荒れを防止されることは勿論、開閉部１０Ａは電流を開閉しないため、初期の絶縁性能を維持できる。
【００３２】
また、逆に開閉部１０Ｂは、電流遮断性能に特化できるため、低サージ材料であるＡｇ−Ｗ−Ｃ系材料を適用すれば、２点切り開閉装置としては、高耐電圧と低サージ性能を両立することも可能になる。
【００３３】
なお、投入動作時に断路用の開閉部１０Ａの先行放電を回避するためには、ｔ１を１０ｍｓ以上、遮断動作時に断路用の開閉部１０Ａで電流を遮断させないためには、ｔ３を２０ｍｓ以上とすることが目安となり、この時間を確保できるように、原動歯車１の回転速度や歯車半径などを適切に設計すれば良い。
【００３４】
このような本実施例によれば、電極表面の荒れを防止することは勿論、絶縁性能が高い開閉装置を得ることができる。
【実施例２】
【００３５】
図５に、本発明の開閉装置の実施例２を示す。該図に示す本実施例は、開閉部１０Ａ、１０Ｂが、その駆動方向が同一軸上となるように配置されていることを特徴とする。他の構成は、実施例１と同様である。
【００３６】
このような本実施例によれば、実施例１と同様な効果を得ることができることは勿論、電源２０が接続される開閉部１０Ａの固定電極１１Ａと、負荷２１が接続される開閉部１０Ｂの固定電極１１Ｂとの離隔距離を長く設計することが可能になり、高い定格電圧の開閉装置として適用し易くなる効果がある。
【実施例３】
【００３７】
図６に、本発明の開閉装置の実施例３を示す。該図に示す本実施例は、原動歯車１は全周の一部に歯部１Ａを有しているが、従動歯車２Ａ、２Ｂは、全周に歯部２Ａ１、２Ｂ１を有しているものである。他の構成は、実施例１と同様である。
【００３８】
このような本実施例によれば、実施例１と同様な効果を得ることができることは勿論、標準の平歯車が入手できる場合には欠け部（凹面部２Ａ２、２Ｂ２）を追加工するだけで従動歯車２Ａ、２Ｂを製作することが可能となる。
【実施例４】
【００３９】
図７に、本発明の開閉装置の実施例４を示す。該図に示す本実施例は、原動歯車１は全周の一部に歯部１Ａを有しているが、従動歯車２Ａ、２Ｂを、円盤をベースとして歯部２Ａ１、２Ｂ１と凹面部２Ａ２、２Ｂ２を追加工して製作したものである。他の構成は、実施例１と同様である。
【００４０】
このような本実施例によれば、実施例１と同様な効果を得ることができることは勿論、従動歯車２Ａ、２Ｂは、円盤をベースとして歯部２Ａ１、２Ｂ１と凹面部２Ａ２、２Ｂ２を追加工するだけで製作できるので、加工費の低減が図れる効果がある。
【実施例５】
【００４１】
図８に、本発明の開閉装置の実施例５を示す。該図に示す本実施例は、開閉部１０Ａ、１０Ｂの機械的間欠動作をゼネバ機構によって実現した構造である。
【００４２】
即ち、本実施例の開閉装置は、固定電極１１Ａ、１１Ｂと、この固定電極１１Ａ、１１Ｂと対向して配置されると共に、固定電極１１Ａ、１１Ｂに対して閉極又は開極される可動電極１２Ａ、１２Ｂを各々備える開閉部１０Ａ、１０Ｂと、この開閉部１０Ａ、１０Ｂのそれぞれの固定電極１１Ａ、１１Ｂに対して閉極又は開極する可動電極１２Ａ、１２Ｂを操作する１つの原動歯車２２及び２つの従動歯車２３Ａ、２３Ｂからなる操作手段と、開閉部１０Ａ、１０Ｂを電気的に接続する通電手段１５Ａとから成り、しかも、原動歯車２２は、原動歯車２２と共に回転する浮動ピン４Ｃを有し、かつ、２つの従動歯車２３Ａ、２３Ｂの各々には、原動歯車２２の浮動ピン４Ｃが係合する案内溝７Ａ、７Ｂが形成され、原動歯車２２の回転に伴って浮動ピン４Ｃが一方の従動歯車２３Ｂの案内溝７Ｂに係合し、この両者の係合が解かれたら浮動ピン４Ｃが他方の従動歯車２３Ａの案内溝７Ａに係合するゼネバ機構によって構成され、時間差を発生させながら開閉部１０Ａ、１０Ｂが駆動されるものである。なお、従動歯車２３Ａ、２３Ｂの各々は、原動歯車２２に固定されている円弧状の案内部材２４に沿って回動するようになっている。
【００４３】
このような本実施例によれば、実施例１と同様な効果を得ることができることは勿論、開閉部１０Ａ、１０Ｂを直交配置しやすいメリットがある。
【００４４】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４５】
１、２２…原動歯車、１Ａ…原動歯車の歯部、２Ａ、２Ｂ、２３Ａ、２３Ｂ…従動歯車、２Ａ１、２Ｂ１…従動歯車の歯部、２Ａ２、２Ｂ２…従動歯車の凹面部、３Ａ、３Ｂ、３Ｃ…固定ピン、４Ａ、４Ｂ、４Ｃ…浮動ピン、５…原動機、６…動力伝達手段、７Ａ、７Ｂ…案内溝、１０Ａ、１０Ｂ…開閉部、１１Ａ、１１Ｂ…固定電極、１２Ａ、１２Ｂ…可動電極、１３Ａ、１３Ｂ…消弧室、１４Ａ、１４Ｂ…操作ロッド、１５、１５Ａ…通電手段、２０、Ｇ１、Ｇ２…電源、２１…負荷、２４…案内部材、１００…中セクション、１０１…列車、ＶＳ１、ＶＳ２…区分開閉器、Ａ…初期位置、Ｂ…中間位置、Ｃ…最終位置。
【図１】
2014238950.tif 000003
【図２】
2014238950.tif 000004
【図３】
2014238950.tif 000005
【図４】
2014238950.tif 000006
【図５】
2014238950.tif 000007
【図６】
2014238950.tif 000008
【図７】
2014238950.tif 000009
【図８】
2014238950.tif 000010
【図９】
2014238950.tif 000011